(57)【要約】本発明は液晶ディスプレイを駆動する装置(200)に関するものである。装置(200)は、第１電源レール(VDDH)と第２電源レール(VSSH)との間で動作するソースドライバを具えている。このソースドライバは、第１及び第２電源レール(VDDH,VSSH)間に配置された電力バッファ(22)を具えている。電力バッファ(22)は、その出力端子(32)において、２つの電源レール(VDDH,VSSH)間の電圧の半分の仮想電圧(VV)を供給する。さらに、Ｐバッファ(20)及びＮバッファ(21)が設けられている。Ｐバッファ(20)は第１電源レール(VDDH)と仮想電圧(VV)との間に配置され、Ｎバッファ(21)は仮想電圧(VV)と第２電源レール(VSSH)との間に配置されている。Ｐバッファ(20;31)は、その入力側(28)における定められた上方電圧範囲内(ＶinputＰ)のガンマ電圧によって駆動され、Ｎバッファ(21)は、その入力側における定められた下方電圧範囲内のガンマ電圧によって駆動される。
2009516228.tif 000002
【特許請求の範囲】
【請求項１】
液晶ディスプレイを駆動する装置において、
前記装置が、第１電源レールと第２電源レールとの間で動作するソースドライバを具え、
前記ソースドライバが、
前記第１電源レールと前記第２電源レールとの間に配置された電力バッファであって、該電力バッファの出力端子において、前記第１電源レールと前記第２電源レールとの間の電圧の約半分の仮想電圧を前記出力端子供給する電力バッファと；
前記第１電源レールと前記仮想電圧との間に配置されたＰバッファと、前記仮想電圧と前記第２電源レールとの間に配置されたＮバッファとを具え、前記Ｐバッファは、当該Ｐバッファの入力側に供給される、前記第１電源レールと前記仮想電圧との間に定めた上方電圧範囲内のガンマ電圧によって駆動され、前記Ｎバッファは、当該Ｎバッファの入力側に供給される、前記仮想電圧と前記第２電源レールとの間に定めた下方電圧範囲内のガンマ電圧によって駆動される
ことを特徴とする液晶ディスプレイ駆動装置。
【請求項２】
前記第１電源レールと前記第２電源レールとの間の電源電圧範囲全体の約半分のみを、前記Ｐバッファ及び前記Ｎバッファ用の電源電圧として使用することを特徴とする請求項１に記載の装置。
【請求項３】
前記電力バッファが前記仮想電圧を供給して、前記Ｐバッファ用の仮想接地及び前記Ｎバッファ用の電源として機能することを特徴とする請求項１または２に記載の装置。
【請求項４】
前記ＰバッファがＰレール・ツー・レール・バッファであり、前記ＮバッファがＮレール・ツー・レール・バッファであることを特徴とする請求項１〜３のいずれかに記載の装置。
【請求項５】
前記Ｐバッファ及び前記Ｎバッファが極性依存型バッファであることを特徴とする請求項１〜３のいずれかに記載の装置。
【請求項６】
さらに、２つの抵抗器を有する出力分割器を具え、前記抵抗器は、前記第１電源レールと前記第２電源レールとの間に直列配置され、前記出力分割器は、前記電力バッファの入力端子に接続された中間ノードを前記２つの抵抗器間に有することを特徴とする請求項１〜５のいずれかに記載の装置。
【請求項７】
さらに、前記電力バッファの入力端子に接続された電圧基準手段を具えていることを特徴とする請求項１〜７のいずれかに記載の装置。
【請求項８】
前記Ｐバッファ及び前記Ｎバッファがアナログバッファであることを特徴とする請求項１〜３のいずれかに記載の装置。
【請求項９】
前記ソースドライバが複数の集積回路で構成され、前記集積回路の各々が、１つの電力バッファ、及び複数の、ＰバッファとＮバッファの対を具え、前記電力バッファが、前記複数のＰバッファとＮバッファの対に前記仮想電圧を供給することを特徴とする請求項１〜８のいずれかに記載の装置。
【請求項１０】
前記集積回路の各々が、前記液晶ディスプレイの複数のチャンネルを駆動することを特徴とする請求項９に記載の装置。
【請求項１１】
前記Ｐバッファ及び前記Ｎバッファの出力側において供給される出力信号の極性が、負荷サイクル毎に変化することを特徴とする請求項１〜８のいずれかに記載の装置。
【請求項１２】
さらに、前記出力信号の極性を変化させるためのクロス選択スイッチを具えていることを特徴とする請求項１１に記載の装置。
【請求項１３】
さらに、前記Ｐバッファ及び前記Ｎバッファの電源を接続切替するための一組のスイッチを具え、前記接続切替により、
前記Ｐバッファは、第１負荷サイクル中に、前記第１電源レールと前記仮想電圧との間で利用可能な電圧を供給され、前記第１負荷サイクルに後続する負荷サイクル中に、前記仮想電圧と前記第２電源レールとの間で利用可能な電圧を供給され、
前記Ｎバッファは、前記第１負荷サイクル中に、前記仮想電圧と前記第２電源レールとの間で利用可能な電圧を供給され、前記第１負荷サイクルに後続する負荷サイクル中に、前記第１電源レールと前記仮想電圧との間で利用可能な電圧を供給される
ことを特徴とする請求項１１に記載の装置。
【請求項１４】
前記Ｐバッファの各々、及び前記Ｎバッファの各々が、入力段及び出力段を具えていることを特徴とする請求項１〜８のいずれかに記載の装置。
【請求項１５】
前記出力段のそれぞれが、前記液晶ディスプレイの列ラインに接続され、前記装置が、前記Ｐバッファ及び前記Ｎバッファの前記入力段の電源を接続切替するための一組のスイッチを具えていることを特徴とする請求項１４に記載の装置。
【発明の詳細な説明】
【技術分野】
【０００１】
本発明は、液晶ディスプレイを駆動する装置に関するものである。
【背景技術】
【０００２】
ＬＣＤ（例えばアクティブマトリクスＬＣＤ）用の駆動回路は２つの部分、即ちソースドライバ及びゲートドライバに分けることができる。ゲートドライバはトランジスタのゲートを制御して、特定行の画素の選択及び非選択を行う。ソースドライバは、現在選択されている行のすべてのサブピクセル（副画素）に、色毎の所望輝度に対応する必要な電圧レベルを供給する。この目的のために、ソースドライバは一般にアナログ出力バッファを具えている。
【０００３】
ＬＣＤ駆動回路は、ますます多くのチャンネルを単一チップ内に含むと共に、その出力電圧範囲、従ってアナログ電源電圧は、増大したダイナミックレンジ及び色深度を提供するためにより大きくなっている。多数のチャンネル及び電源電圧の増大により、駆動回路の最重要パラメータの１つ、即ち総電力消費は主に、アナログ出力バッファの電力消費によって決まる。
【０００４】
従来のソースドライバは、２つの異なる種類のアナログ出力バッファを含む。一部の実現では、Ｎ及びＰ出力バッファ（以下、Ｎバッファ及びＰバッファと称する）を含むいわゆる極性依存型ドライバが用いられている。これらの出力バッファにはソースドライバの全電源電圧範囲の電圧が供給されるが、これらの出力バッファは電源電圧範囲内に定めた上方電圧範囲内または下方電圧範囲内のみで動作する。
【０００５】
いわゆるレール・ツー・レール（両電源電圧間）出力バッファ（以下、Ｐレール・ツー・レール・バッファ及びＮレール・ツー・レール・バッファと称する）を用いたディスプレイの実現も存在する。これらの出力バッファは一般に、定められた電源電圧の２つの電源レール（電源電圧）間に配置される。
【０００６】
図１に、極性依存型出力バッファ１、２を有する従来のソースドライバ１００の例を示す。この例では、ディスプレイの各画素（即ち、ドライバ１００の各出力端子１０３、１０４）を、Ｐ出力バッファ１またはＮ出力バッファ２のそれぞれの入力端子１０１、１０２における極性に応じて、Ｐ出力バッファ１またはＮ出力バッファ２のいずれかによって駆動することができる。図１に示すように、ガンマ曲線の正の部分３はＰ出力バッファ１の入力端子１０１に供給され、ガンマ曲線の負の部分４はＮ出力バッファ２に供給され、これにより両バッファ１及び２が常に使用される。この設計の結果は、電源電圧を規定しなければならず、ソースドライバチップ１００の設計中に「ハードウェア配線」しなければならず、後に変更することができない。２つの出力バッファ１、２には２つの電源レールVDDH、VSSHが供給されるので、これらのバッファ１、２は高電圧トランジスタによって構成しなければならない。この場合には、両バッファ１、２がVDDHとVSSHとの間の電源電圧範囲全体を使用するので、電力は非常に大きい。
【０００７】
他のこの設計の他の欠点は、高電圧トランジスタが必要であることにより、かなりのチップ領域を占めるということである。
【０００８】
図２に、レール・ツー・レール・バッファを有する従来のアーキテクチャを示す。図２には、こうしたレール・ツー・レール・バッファ７を１つ有するドライバチップ１１０の一部分を示す。こうしたレール・ツー・レール・バッファ７を使用する際には、この単一バッファ７は、正のガンマ電圧８及び負のガンマ電圧９を共に駆動しなければならない。しかし、バッファ７はここでも電源電圧範囲全体で動作し、従って高電圧トランジスタの同じ欠点、即ち電力消費の増大及び大きなサイズという欠点を有する。
【０００９】
提示した両方の場合について、出力バッファのＤＣ電力消費は次式のように計算することができる：
チャンネル当たりの総電力＝VDDH×Ｉddh_average
ここに、Ｉddh_averageは、図２の２つのバッファ１及び２、あるいは図２のバッファ７を通って流れる平均電流である。
【００１０】
ドライバチップ１００または１１０について、次式のように、この値にチャンネル数Ｎchannelsを乗算しなければならない：
チップ当りの総電力＝チャンネル当りの総電力×Ｎchannels
【００１１】
両方の設計の大きな欠点は、上述したように、高い電力消費及び大きいチップ面積である。
【発明の開示】
【発明が解決しようとする課題】
【００１２】
本発明の目的は、従来のディスプレイドライバより少ない電力を消費し、より小さいドライバチップの設計を可能にする、ディスプレイ用の駆動方式を提供することにある。
【課題を解決するための手段】
【００１３】
この目的及び他の目的は、請求項１に記載の装置によって達成される。
【００１４】
本発明によれば、新規性及び進歩性のあるＴＦＴ ＬＣＤ駆動技術を用いた液晶ディスプレイを駆動する装置が提供される。この装置は、第１電源レールと第２電源レールとの間で動作するソースドライバを具えている。このソースドライバは、これらの電源レール間に配置された少なくとも１つの電力バッファを有する。この電力バッファは、これら２つの電源レール間で利用可能な電圧の約半分の仮想電圧をその出力端子において供給する。さらに、このソースドライバは、非常に多数（出力チャンネルの数に依存し、一般に数百）のＰバッファ及びＮバッファを具えている。Ｐバッファ及びＮバッファとして、レール・ツー・レール・バッファまたは極性依存型バッファのいずれも用いることができる。Ｐバッファは、第１電源レールと、上記仮想電圧が利用可能な出力端子との間に配置される。Ｎバッファは、上記仮想電圧が利用可能な出力端子と第２電源レールとの間に配置される。本発明によれば、Ｐバッファは正のガンマ電圧曲線によって駆動され、Ｎバッファは、負のガンマ電圧曲線によって駆動されるように用いられる。
【００１５】
本発明によれば、電力消費、及び高電圧トランジスタが一般に占める面積の低減は、電力消費の低減をもたらす新規性及び進歩性のあるＴＦＴ ＬＣＤ駆動技術を用いることによって達成される。
【００１６】
本発明の他の好適例によれば、一組のスイッチを用いて、第１電源レールと、上記仮想電圧が利用可能なレールとの間の最初の負荷サイクル中、及びこの仮想電圧レールと第２電源レールとの間の、後続する負荷サイクル中にバッファを動作させることを可能にする。この好適例は、一定のオフセットが保証されるという利点を有する。本発明の装置の他の有利な好適例は、従属請求項によって提供される。
【００１７】
図１及び図２に示す従来のドライバのように、電源電圧範囲全体にわたるＤＣ電力消費の代わりに、本発明は出力バッファ毎に、電源電圧の約半分を使用する。強力な電力バッファを用いて、Ｎバッファ用の電源として作用する仮想電圧、及びＰバッファ用の接地として作用する仮想電圧を生成する。本発明によれば、この仮想電圧は駆動回路内で内部的に生成され、そして大部分の好適例では、駆動回路のすべてのチャンネルによって（即ち、集積回路のすべてのＮバッファ及びＰバッファによって）共用される。
【００１８】
本発明の他の好適例では、提案する電力低減技術をレール・ツー・レール出力バッファと共に用いる。
【００１９】
本発明のさらに他の好適例では、提案する電力低減技術を極性依存型バッファと共に用いる。
【００２０】
本発明による駆動回路が消費する電力は、従来のアーキテクチャが消費する電力の約半分である。
【００２１】
本発明の他の利点は、高電圧トランジスタの代わりに低電圧トランジスタを用いることができることによる面積低減である。トランジスタ両端の最高電圧は常に２つの電源レール間の電位差の約半分であるので、このことが可能である。
【００２２】
本発明の他の好適例は、駆動回路の各チャンネルのオフセットを、動作範囲全体中で一定に保つことを特徴とする。出力電圧変化の極性は負荷サイクル毎に変化するので、一組のスイッチを用いる。２つのバッファ（Ｎバッファ及びＰバッファ）の各々が、定められた電源電圧範囲内のみで動作するので、この好適例ではクロス（交差）選択スイッチを用いて極性を変化させることができる。
【発明を実施するための最良の形態】
【００２３】
本発明のより完全な説明、及びそのさらなる目的及び利点の説明のために、以下の実施例の説明を図面と共に参照する。
【実施例１】
【００２４】
図３に本発明の第１実施例を提示し、液晶ディスプレイ用のソースドライバ２００の一部分を示す。この装置は、出力分割器３３、電力バッファ２２、Ｐレール・ツー・レール・バッファ２０及びＮレール・ツー・レール・バッファ２１で構成される。
【００２５】
出力分割器３３は、電源レールVDDH３０．１と電源レールVSSH３０．２との間に直列配置された２つの抵抗器Ｒで作製され、電力バッファ２２の入力端子に接続された中間ノードを有する。
【００２６】
電力バッファ２２は、電源レールVDDH３０．１とVSSH３０．２との間に配置され、その入力端子の一方は電力バッファ３３の中間ノード２９に接続され、入力端子の他方は出力端子３２に接続されている。本明細書ではこの種の構成を電圧フォロワまたは単一ゲイン構成と称する。電力バッファ２２は、その出力端子３２において、２つの電源レールVDDHとVSSHとの間で利用可能な電圧の約半分の仮想電圧VVを供給する。
【００２７】
Ｐレール・ツー・レール・バッファ２０は、第１電源レールVDDHと仮想電圧VVとの間に配置されている。このＰレール・ツー・レール・バッファ２０は正のガンマ電圧で駆動され、ＤＣ電流ＩddhをＮレール・ツー・レール・バッファ２１と共有する。ここではＰレール・ツー・レール・バッファ２０の入力信号をＶinputＰと称する。即ち、ガンマ曲線の正の部分に相当する信号ＶinputＰがＰレール・ツー・レール・バッファ２０の入力端子２７に供給される。
【００２８】
Ｎレール・ツー・レール・バッファ２１は、仮想電圧VVと第２電源レールVSSHとの間に配置され、負のガンマ電圧ＶinputＮで駆動される。即ち、ガンマ曲線の負の部分に相当する信号ＶinputＮがＮレール・ツー・レール・バッファ２１の入力端子２８に供給される。
【００２９】
動作範囲は２つの異なる段階（負荷サイクルまたはフレーム）に分割され、フレームＮを図３に２３で示し、フレームＮ＋１を図３に２４で示す。第１段階（フレームＮ）中には、Ｐレール・ツー・レール・バッファ２０の出力端子２５がディスプレイ（図示せず）の列を駆動し、後続する第２段階（フレームＮ＋１）中には、Ｎレール・ツー・レール・バッファ２１の出力端子２６がディスプレイの列を駆動する。即ち、１つの列が一方のバッファ（２０または２１）によって駆動され、それぞれの他方のバッファ（２１または２０）はディスプレイの隣の列に接続される。
【００３０】
なお、図３には、ソースドライバ２００の一部分のみを示している。現実のソースドライバ２００は、少なくとも１つの電力バッファ２２、及び複数のＰレール・ツー・レール・バッファ２０とＮレール・ツー・レール・バッファの対を具えている。バッファの対の数はチャンネル数Ｎchannelsに相当する。
【００３１】
図３によれば、そして次式を導出してソースドライバ２００が消費する総電力を計算することができるものと仮定する：
チップ当りの総電力＝(VDDH／２)×Ｉddh×Ｎchannels＋Ｉvb×ＶDDH
ここに、Ｉvbは電力バッファ２２が「消費」する電流であり、Ｉddhはバッファ２０、２１が「消費」する電流である。この方程式より、本発明のソースドライバ２００の電力消費は（電力バッファ２２が消費する電力を無視すれば）従来のソースドライバの電力消費の約半分である。
【実施例２】
【００３２】
図４に、本発明の他の実施例の装置３００を示す。この図に示すように、Ｐレール・ツー・レール・バッファ及びＮレール・ツー・レール・バッファの各々が２段階で構成され、第１段階を入力段２８と称し、第２段解を出力段２７と称する。Ｐレール・ツー・レール・バッファの入力段２８は入力バッファ３１を具え、Ｎレール・ツー・レール・バッファの入力段２８は入力バッファ３２を具えている。Ｐレール・ツー・レール・バッファの出力段２７は、Ｐ出力バッファとして働く２つのパワートランジスタ２５．１、２５．２を具え、Ｎレール・ツー・レール・バッファの出力段２７は、Ｎ出力バッファとして働く２つのパワートランジスタ２６．１、２６．２を具えている。入力バッファ３１または３２の各々は、出力段２７または入力段２８のいずれにも接続することができ、従って電圧フォロワ（または単一ゲイン構成）を構成する。
【００３３】
一組のスイッチSwPP-1、SwPN-1、SwGP-1、SwGN-1、SwFb-1、SwOut-1、及びSwPP-2、SwPN-2、SwGP-2、SwGN-2、SwFb-2、SwOut-2を設けて、出力パッドPad1及びPad2における出力信号の極性を変化させることを可能にする。これらのスイッチを制御して、第１フレーム（フレームＮ）中に、入力ＶinputＰ、即ちガンマ曲線の正の部分（Ｐガンマ）を、入力バッファ３１及びトランジスタ２５．１、２５．２を有する出力段経由で、出力パッドPad1及びそれぞれの第１表示チャンネルに「接続」する。後続する第２フレーム（フレームＮ＋１）中には、入力ＶinputＮ、即ちガンマ曲線の負の部分（Ｎガンマ）を、入力バッファ３１及びトランジスタ２５．１、２５．２を有する出力段経由で出力パッドPad1に「接続」する。第１フレーム（フレームＮ）中には、入力バッファ３１は電圧VDDHとVVとの間で動作するのに対し、第２フレーム（フレームＮ＋１）中には、入力バッファ３１は電圧VVとVSSHとの間で動作する。第１フレーム（フレームＮ）中には、入力ＶinputＮ、即ちガンマ曲線の負の部分（Ｎガンマ）が、入力バッファ３２及びトランジスタ２６．１、２６．２を有する出力段経由で、出力パッドPad2（及びそれぞれの第２表示チャンネル）に接続され、第２フレーム（フレームＮ＋１）中には、入力ＶinputＰ、即ちガンマ曲線の正の部分（Ｐガンマ）が、入力バッファ３２及びトランジスタ２６．１、２６．２を有する出力段経由で出力パッドPad2に接続される。第１フレーム（フレームＮ）中には、入力バッファ３２は電圧VVとVSSHとの間で動作するのに対し、第２フレーム（フレームＮ＋１）中には、入力バッファ３２は電圧VDDHとVVとの間で動作する。
【００３４】
図４に示す実施例は、各チャンネルのオフセットが動作範囲全体中で一定に保たれるという利点を有する、というのは、同じ入力バッファ３１、３２を用いて、同一の出力パッドをガンマ曲線の正及び負の部分で駆動するからである。出力電圧の極性はフレーム（負荷サイクル）毎に変化するので、図４に示す一組のスイッチを使用しなければならない。バッファ３１、３２の各々が、定められた電源電圧範囲内のみで動作することができるので、その出力信号はクロス選択スイッチを用いて変化させなければならない。各チャンネルのオフセットをガンマ曲線の範囲全体にわたって一定に保つために、追加的なスイッチSwPP-1、SwPN-1、及びSwPP-2、SwPN-2を用いて、両入力バッファ３１、３２用の電源ラインを接続切替する。
【００３５】
オフセットは主に入力バッファ３１、３２によって生じるので、装置３００の入力バッファを接続切替するだけで十分である。このことは、出力段２７の素子を接続切替する必要がないことを意味する。出力段２７はそれぞれの電源ラインVDDH、VV及びVV、VSSHに強固に接続することができる。この方法はチップ面積を節減することを可能にする、というのは、出力段２７の接続切替のために、強力かつ大きなスイッチが必要になるからである。
【００３６】
本実施例をより良く例示するために、追加的な詳細事項を図５Ａ及び５Ｂに関連して説明する。図５Ａには、本発明の装置３００の第１フレーム（フレームＮ）中の部分を示す。図５Ｂには、同じ装置３００の第２フレーム中の部分を示す。図５Ａ及び５Ｂは、定められた電源電圧の接続切替が見えるように描いている。
【００３７】
装置３００は２つの入力バッファ３１、３２を具えている。入力バッファ３１、３２は２つの同一の（出力段なしの）演算増幅器であり、出力段に接続されると電圧フォロワ（または単一ゲイン）構成を作り上げる。これらの入力バッファの各々が、２つの電源レール間の範囲全体中の入力電圧及び出力電圧を取り扱うことができる。この特徴をレール・ツー・レール動作と称する。これらの増幅器には、装置３００の内部に存在する任意の２つの電源レール間の電圧を供給することができる。この特徴を浮動（フローティング）増幅器と称する。
【００３８】
装置３００はさらに、２つの高電圧出力段（OutStage-1及びOutStage-2）を具えている。これら２つの高電圧出力段は、対応する電源レール間に強固に接続されている。即ち、OutStage-1はVDDHとVVとの間に接続され、OutStage-2はVVとVSSHとの間に接続されている。
【００３９】
矢印を付けた配線からの信号を交換することを可能にする一組のスイッチ対が存在する。例えば、スイッチSwPP-1及びSwPP-2が一緒になってスイッチ対として働く。一方の切替位置では、図５ＡでフレームＮについて示すように、これらのスイッチはそれぞれ、バッファ３１の端子vddと上位電源VDDHとの間の接続、及びバッファ３２の端子vddと仮想電源VVとの間の接続を提供する。他方の切替位置では、図５ＢでフレームＮ＋１について示すように、スイッチSwPP-1及びSwPP-2はそれぞれ、バッファ３１の端子vddから仮想電源VVへの接続、及びバッファ３２の端子vddと上位電源VDDHとの間の接続を提供する。
【００４０】
スイッチ対SwPP-1及びSwPP-2、及びスイッチ対SwPN-1及びSwPN-2を用いて、各バッファ３１、３２を、電源レールVDDHとVVとの間、またはVVとVSSHとの間のいずれかに接続する。
【００４１】
仮想電圧VVは、例えば図３の場合のように電力バッファによって供給される。
【００４２】
入力バッファ３１、３２の入力側にあるスイッチ対SwIn-1及びSwIn-2を用いて、バッファ３１または３２のいずれかの入力端子を、信号源ＶinputＰ（ガンマ曲線の正部分）またはＶinputＮ（ガンマ曲線の負の部分）のいずれかに接続する。
【００４３】
スイッチ対SwGP-1及びSwGP-2、及びスイッチ対SwGN-1及びSwGN-2を用いて、出力段OutStage-1及びOutStage-2のトランジスタ２５．１、２５．２、２６．１、２６．２のゲートを、バッファ３１、３２のいずれかの制御信号に接続する。
【００４４】
スイッチ対SwOut-1及びSwOut-2を用いて、出力段OutStage-1及びOutStage-2の出力信号を、出力パッドPad1またはPad2のいずれかに向ける。
【００４５】
スイッチ対SwFb-1及びSwFb-2を用いて、各バッファ３１、３２用のフィードバック入力を、適切な出力段PutStage-1またはOutStage-2の出力端子から供給する。
【００４６】
図４及び５Ａ、５Ｂに示す一組のスイッチ対を用いて、ガンマ曲線の正の部分中及びガンマ曲線の負の部分中に、各チャンネルのオフセットが一定に保たれる、というのは、同じ入力バッファをガンマ曲線の両方の部分用に用いるからである。一般に、すべてのスイッチ対のトグル（反復）切替は、２つのバッファを交換すること（即ち、バッファ３１をバッファ３２の代わりに設けること、及びその逆）、及び２つの出力パッドPad1とPad2とを交換することと等価である。
【実施例３】
【００４７】
図６に、表示パネルの画素を駆動するためのゲートドライバ４０２及びソースドライバ４０１を具えた装置４００を示す。表示パネルは、Ｍ行Ｎ列から成る格子（グリッド）によって概略的に示す。本発明はソースドライバ４０１の内部に実現される。本発明のこの実施例では、ソースドライバ４０１が複数の集積回路２００／３００を具えている。ソースドライバ４０１は上位電圧VDDH及び下位電圧VSSHを供給される。集積回路２００／３００の各々が１つの電力バッファを具えている。これらの電力バッファは仮想電圧を供給し、この仮想電圧は、２つの電源レールVDDHとVSSHとの間の電圧の約半分である。図６には、電力バッファ及び仮想電圧VVを概略的に示す。各集積回路２００／３００の出力側には、ディスプレイのチャンネルを駆動するための多数のＰバッファ及びＮバッファが存在する。図６には、Ｐバッファ及びＮバッファを三角形の行として概略的に示す。
【００４８】
集積回路２００／３００のＰバッファは、上位電源レールVDDHと仮想電圧VVとの間に配置され、Ｎバッファは仮想電圧VVと下位電源レールVSSHとの間に配置されている。図４、５Ａ及び５Ｂのようにスイッチを設ければ、バッファの電源を接続切替することができる。
【００４９】
本発明によれば、いくつかの仮想電圧VV1〜VVn（ここにｎ＝２，３...）を、これに相当する数の電力バッファによって設けた実施例が可能である。
【図面の簡単な説明】
【００５０】
【図１】極性依存型出力バッファを用いた従来のディスプレイドライバの概略表現図である。
【図２】レール・ツー・レール・バッファを用いた従来のディスプレイドライバの概略表現図である。
【図３】電力バッファ及び２つのレール・ツー・レール・バッファを用いた本発明の第１実施例の概略表現図である。
【図４】本発明の第２実施例の概略表現図である。
【図５Ａ】フレームＮの期間中の、本発明の第２実施例の他の概略表現図である。
【図５Ｂ】フレームＮ＋１の期間中の、本発明の第２実施例の他の概略表現図である。
【図６】本発明の他の実施例を示す図である。
【図１】
2009516228.tif 000003
【図２】
2009516228.tif 000004
【図３】
2009516228.tif 000005
【図４】
2009516228.tif 000006
【図５Ａ】
2009516228.tif 000007
【図５Ｂ】
2009516228.tif 000008
【図６】
2009516228.tif 000009
【国際調査報告】
2009516228.tif 000010
2009516228.tif 000011
2009516228.tif 000012